(57)【要約】【課題】シート（もしくはフィルム）主面の透明性や意匠的価値を損なうことなく、情報が付与された書類ホルダーを提供する。【解決手段】折り曲げられた一枚のシートもしくはフィルム２、または重ね合わせられた複数枚のシートもしくはフィルムからなり、対向する面同士が部分的に互いに固着されることにより、書類収容部が形成されまたは複数枚のシートもしくはフィルムが綴じられたものにおいて、前記シートもしくはフィルムは、少なくとも固着部が樹脂からなり、前記固着がシートもしくはフィルムの平面視で当該樹脂を文字、図形もしくは記号またはこれらの組み合わせの形状に加圧溶着することによりなされていることを特徴とする。【選択図】図１
2008279602.tif 000002
【特許請求の範囲】
【請求項１】
折り曲げられた一枚のシートもしくはフィルム、または重ね合わせられた複数枚のシートもしくはフィルムからなり、対向する面同士が部分的に互いに固着されることにより、書類収容部が形成されまたは複数枚のシートもしくはフィルムが綴じられたものにおいて、
前記シートもしくはフィルムは、少なくとも固着部が樹脂からなり、前記固着がシートもしくはフィルムの平面視で当該樹脂を文字、図形もしくは記号またはこれらの組み合わせの形状に加圧溶着することによりなされていることを特徴とする書類ホルダー。
【発明の詳細な説明】
【技術分野】
【０００１】
この発明は、書類を収納するホルダーに関する。
【背景技術】
【０００２】
従来より、クリヤーホルダーなどと称して書類をファイルするための透明樹脂あるいは着色樹脂からなるホルダーが汎用されている。透明のものは収容した状態で中の書類の情報を外から知ることができるし、着色されているものは書類の性質毎に使い分けしたり、持ち歩いてファッション性を楽しんだりすることができる。この種の樹脂製ホルダーは通常、一枚の樹脂シートを二つ折りあるいは巻き三つ折りにし、折り線と直交する一辺もしくは二辺を固着することにより、製造されており、折り線及び固着辺と対向する二辺又は一辺が書類の出し入れのために開放されている。樹脂シートに代えて薄い柔軟性の樹脂フィルムが用いられることもある。
【０００３】
図１３は、二つ折りタイプのホルダーを示す斜視図である。ホルダー１００は、図１４に展開図で示す一枚の樹脂シート（もしくはフィルム）１０２を二つ折りにし、折り線１０３と直交する一辺１０４を図１５に断面図で示すように一対の金型Ｍ１、Ｍ２で加圧と同時に溶着することにより、製造される。そして、折り線１０３及び固着辺１０４と対向する二辺が書類の出し入れのために開放されている。
【０００４】
通常、一方の金型Ｍ１の加圧面には多数の突起Ｊが一次元的にほぼ等間隔に形成されている。そして、樹脂は加圧溶着に伴って面方向に広がることから、隣り合う突起間の凹部がその広がりに相当する逃げとなる。その結果、完成されたホルダーには、固着辺１０４に突起列の痕１０５が形成されている。
また、ホルダーに商標や型式などの識別情報や広告情報を付ける手段としては、印刷、刻印、ラベル貼り付けなどが知られている。図１３のホルダーにはラベルＬが貼り付けられている。
【発明の開示】
【発明が解決しようとする課題】
【０００５】
しかし、印刷、刻印およびラベル貼り付けのいずれにしてもシート（もしくはフィルム）の主面を用いてなされることから、せっかくシート（もしくはフィルム）を透明にしても刻印やラベル部分を透視することはできないし、またせっかくシート（もしくはフィルム）に模様を描いてもその近傍に位置する刻印やラベルが意匠的価値を低下させてしまう。
それ故、この発明の課題は、シート（もしくはフィルム）主面の透明性や意匠的価値を損なうことなく、情報が付与された書類ホルダーを提供することにある。
【課題を解決するための手段】
【０００６】
その課題を解決するために、この発明の書類ホルダーは、
折り曲げられた一枚のシートもしくはフィルム、または重ね合わせられた複数枚のシートもしくはフィルムからなり、対向する面同士が部分的に互いに固着されることにより、書類収容部が形成されまたは複数枚のシートもしくはフィルムが綴じられたものにおいて、
前記シートもしくはフィルムは、少なくとも固着部が樹脂からなり、前記固着がシートもしくはフィルムの平面視で当該樹脂を文字、図形もしくは記号またはこれらの組み合わせの形状に加圧溶着することによりなされていることを特徴とする。
この書類ホルダーによれば、前記文字、図形もしくは記号またはこれらの組み合わせによって識別情報および広告情報を付与することができる。そして、これらの情報は、書類収容部を形成するために又は複数枚のシートもしくはフィルムを綴じるために元々必要な固着部に記載されることから、その存在故にシートもしくはフィルムの主面の透明性や意匠的価値を損なうことはない。
【発明の効果】
【０００７】
シートもしくはフィルムの主面の透明性や意匠的価値を損なうことなく、情報を付与することが可能である。
【発明を実施するための最良の形態】
【０００８】
−実施形態１−
この発明の第一の実施形態に係る書類ホルダーを図面とともに説明する。図１は二つ折りタイプの書類ホルダーを示す斜視図、図２（ａ）は同じく平面図、図２（ｂ）は同じく底面図、図３は図２（ａ）におけるＸＸ線断面図である。また、図４は書類ホルダーの製造工程を示す断面図である。尚、書類ホルダーの展開平面図は、図１４と同じに現れる。
【０００９】
書類ホルダー１は、Ａ４版サイズの１０数枚までの書類を速やかに出し入れ可能に収容するものである。書類ホルダー１は次のようにして製造される。先ず、図１４に示すようなＡ３サイズの厚さ０．１〜１．２ｍｍの一枚の透明のポリプロピレン製シート２（図１４では符号１０２）を準備する。そして、長寸方向中央の折り線３（同１０３）に沿って上面側が山、下面側が谷となるように二つ折りにする。次に、上面に多数の突起が一次元的に配列した下型Ｆと、上型を兼ねるホーンＨを備えた溶着機に、折られたシート２を、図４に示すように折り線３と直交する一辺が下型Ｆの突起列Ｐに一致するように載せる。突起列Ｐの各突起は、文字または記号の形をなしており、図示の例では「kanbi@zero.ad.jp」というＵＲＬが複数個連続して刻印されている。
【００１０】
この状態で下型ＦおよびホーンＨを発熱体（図示省略）で予熱し、ホーンＨを介してシート２に圧力を加えながら、超音波を付与する。するとシート２の二面間が互いに溶着する。固着された辺４には、突起列Ｐに対応して「kanbi@zero.ad.jp」というＵＲＬを表す突起痕５が形成されている。
こうして得られた書類ホルダー１は、図１、２に示すように折り線３と溶着辺４とが閉じられ、それらと対向する二辺が開放されて、二面間に袋状の空間を有し、そこに書類が収容できるようになっている。
なお、前記予熱は必須ではなく、シートの厚み、材質、突起の大きさなどにより適宜選択されるものである。以下の実施形態も同様である。
【００１１】
書類ホルダー１は、透明であるから、収容した書類を透視することができる。突起痕５は、元々溶着に必要不可欠なものであって、その存在故に透視面積が狭められることはない上、突起痕５によって利用者は前記ＵＲＬ情報を得ることができる。
尚、この実施形態ではシート２として透明樹脂のみからなる成形体を用いたが、これに限定されることはなく、実用新案登録第３１２７８７２号明細書に記載されている如く、厚紙の片面もしくは両面に薄いポリプロピレン膜を貼り合わせたものであってもよい。厚紙を用いることにより感触が良くなり、種々の模様を容易に印刷することもできる。また、シート２に比べて薄いポリプロピレン膜を用いているので、溶着時に型を予熱する必要はない。
【００１２】
−実施形態２−
図５は三つ折りタイプの書類ホルダーを示す斜視図、図６は同ホルダーの展開平面図、図７は断面図、図８は製造工程を示す斜視図である。書類ホルダー１１は、Ａ４版サイズの数十枚までの書類を速やかに出し入れ可能に収容するもので、実施形態１におけるものと同様の利点を有する。
【００１３】
書類ホルダー１１は次のようにして製造される。先ず、図６に示すようにＡ３版の短寸方向に糊代を継ぎ足した形状及びサイズの厚さ０．２〜３．０ｍｍの一枚のポリプロピレン製シート１２を準備する。そして、糊代を折るとともに長寸方向中央の二本の折り線１３、１３に沿って巻き三つ折りにし、糊代同士を図７に示すように合わせる。次に、図８に示すように書類ホルダー１１の内側空間に下型Ｆを挿入し予熱し、上型を兼ねるホーンＨにて加圧しながら糊代同士を互いに超音波溶着させる。糊代の幅は、５〜４０ｍｍ程度であって、実施形態１におけるよりも各突起の面積を大きく確保することができる。このため、溶着部分を利用して実施形態１よりも多くの情報または大きな文字、図形、記号等を記載することができる。
【００１４】
−実施形態３−
図９はブックタイプの書類ホルダーを示す平面図、図１０は同ホルダーの製造工程を示す断面図である。書類ホルダー２１は、写真、カードなどを個別に収容するものである。
書類ホルダー２１は、一枚の半透明のポリプロピレン製シートからなり三つ折りにされたカバー２２と、カバー２２における折り線２３、２３間の谷折り側領域に固着されることにより綴じられた複数のインフレーション法ポリプロピレン（ＩＰＰ）フィルムからなる袋２４とを備える。袋２４の材質はＩＰＰに代えてＣＰＰやＯＰＰであってもよい。書類ホルダー２１は、しまい込む際には三つ折りに畳まれ、袋２４内に収容された書類を閲覧したいときに開かれる。図９は開いた状態を描いている。
【００１５】
書類ホルダー２１は次のようにして製造される。先ず、図１０に示すように上面に文字、記号等の情報が刻印された下型Ｆ１、及び下面が平坦で上型を兼ねるホーンＨ１を備えた溶着機を準備する。そして、下型に所定枚数の袋２４を重ね合わせて載せ、その上にカバー２２を重ねる。その状態で発熱体（図示省略）で下型Ｆ１およびホーンＨを予熱し、ホーンＨ１を下降させ、加圧しながら袋２４同士及び袋２４とカバー２２とを超音波溶着させる。袋２４の折り線２３、２３間の領域には溶着と同時に下型から情報が転写される。他方、カバー２２の背表紙（山折り側外面）には平坦な上型が当接するので、平坦性が維持される。
【００１６】
−実施形態４−
図１１は袋タイプの書類ホルダーを示す平面図、図１２は同ホルダーの製造工程を示す断面図である。書類ホルダー３１は、１〜数枚の書類を収容するものである。  書類ホルダー３１は、三辺が固着されて袋状をなす二枚の透明軟質塩ビ製シート３２、３３からなる。シート３２よりもシート３３の方が上下方向に僅かに長い。
書類ホルダー３１は次のようにして製造される。図１２に示すように上型Ｆ２及び下型Ｆ３を備えた溶着機を準備する。上型Ｆ２は、平面視コの字形状をなし、下面に文字、記号等の情報が刻印され、高周波電流を通電可能である。下型も同じく平面視コの字形状をなし、上面が平坦となっている。そして、下型Ｆ３にシート３３を載せ、その上にシート３２を重ねる。その状態で上下の型Ｆ２、Ｆ３を予熱し、上型Ｆ２を下降させ、加圧しながら上型Ｆ２に高周波電流を流し、シート３２とシート３３を溶着させる。シート３２の開口側を除く三辺に沿って溶着と同時に上型Ｆ２から情報が転写される。
【図面の簡単な説明】
【００１７】
【図１】実施形態１の書類ホルダーを示す斜視図である。
【図２】（ａ）は同じく平面図、図２（ｂ）は同じく底面図である。
【図３】図２（ａ）におけるＸＸ線断面図である。
【図４】実施形態１の書類ホルダーの製造工程を示す断面図である。
【図５】実施形態２の書類ホルダーを示す斜視図である。
【図６】同ホルダーの展開平面図である。
【図７】同じく一部断面図である。
【図８】実施形態２の書類ホルダーの製造工程を示す斜視図である。
【図９】実施形態３の書類ホルダーを示す平面図である。
【図１０】同ホルダーの製造工程を示す断面図である。
【図１１】実施形態４の書類ホルダーを示す平面図である。
【図１２】同ホルダーの製造工程を示す断面図である。
【図１３】従来の書類ホルダーを示す斜視図である。
【図１４】同ホルダーの展開平面図である。
【図１５】同ホルダーの製造工程を示す断面図である。
【符号の説明】
【００１８】
１，１１，２１，３１  書類ホルダー
２，１２，２２，３２，３３  シート
３，１３，２３  折り線
【図１】
2008279602.tif 000003
【図２】
2008279602.tif 000004
【図３】
2008279602.tif 000005
【図４】
2008279602.tif 000006
【図５】
2008279602.tif 000007
【図６】
2008279602.tif 000008
【図７】
2008279602.tif 000009
【図８】
2008279602.tif 000010
【図９】
2008279602.tif 000011
【図１０】
2008279602.tif 000012
【図１１】
2008279602.tif 000013
【図１２】
2008279602.tif 000014
【図１３】
2008279602.tif 000015
【図１４】
2008279602.tif 000016
【図１５】
2008279602.tif 000017